【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、
駆動部を有し、前記患者眼を前記レーザ照射ユニットの光軸上に固定するための眼球固定ユニットを前記患者眼に向けて移動させるために設けられた移動ユニットと、
前記患者眼の画像を撮像するための撮像光学系によって撮像された撮像画像に基づいて、前記眼球固定ユニットによって固定される前の前記患者眼を検出する眼検出手段と、
前記眼検出手段からの検出信号に基づいて前記駆動部の駆動を制御し、前記眼球固定ユニットによって固定される前の前記患者眼に対して前記眼球固定ユニットを自動的に移動させる制御手段と、
を備えることを特徴とする眼科用レーザ手術装置。
【請求項２】
前記移動ユニットは、前記眼球固定ユニットを前記照射光学系と一体的に移動させるために設けられ、
請求項１の眼科用レーザ装置は、さらに、
前記患者眼に呈示する固視標の呈示位置を移動させ、前記患者眼の固視方向を誘導するための固視誘導手段を備え、
前記制御手段は、前記眼検出手段による前記照射光学系に対する前記患者眼のアライメント状態の検出結果に基づいて、前記患者眼と前記照射光学系とが所定の位置関係となるように前記駆動部を制御して自動位置合わせした後、
前記固視誘導手段を制御し、前記照射光軸と前記患者眼の傾きが所定の関係になるように固視標呈示を自動的に行うとともに、
前記駆動部を再度制御し、前記固視標の呈示位置を移動させることによって生じたアライメントずれに対して再度前記所定の位置関係となるように前記移動ユニットを自動的に移動させ、前記眼球固定ユニットによって前記患者眼を固定することを特徴とする眼科用レーザ手術装置。
【請求項３】
前記眼球固定ユニットは、前記患者眼に当接されるリング状のサクションリングを有し、前記患者眼を前記照射光軸上に吸引固定するための眼球固定ユニットであって、
前記移動ユニットは、前記照射光学系と前記眼球固定ユニットとを一体的に移動可能であり、
前記制御手段は、前記駆動部の駆動を制御し、前記患者眼と前記サクションリングとが当接する位置に前記眼球固定ユニットを移動させ、前記眼球固定ユニットが前記患者眼と前記サクションリングとが当接する位置に移動された場合、前記固視誘導手段を制御し、前記レーザ照射ユニットの照射光軸と前記患者眼の光軸を一致さるために前記患者眼に呈示する固視標の呈示位置を移動させることを特徴とする請求項２の眼科用レーザ手術装置。
【請求項４】
レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、
前記対物レンズを収容する照射端ユニットと、前記照射光学系の少なくとも一部と、を備え、前記レーザ光を前記患者眼に導光するためのデリバリーユニットと、
駆動部を備え、前記駆動部の駆動によって、前記照射端ユニットの少なくとも一部を移動させるために設けられた移動ユニットと、
患者眼の画像を撮像するための撮像光学系によって撮像された撮像画像に基づいて、眼球固定ユニットによって固定される前の前記患者眼を検出する眼検出手段と、
前記患者眼に呈示する固視標の呈示位置を移動させ、前記患者眼の固視方向を誘導するための固視誘導手段と、
前記眼検出手段の検出結果に基づいて、前記患者眼と前記照射光学系とが所定の位置関係となるように前記駆動部を制御して自動位置合わせした後、
前記固視誘導手段を制御し、前記照射光軸と前記患者眼の光軸を一致させるための固視標呈示を自動的に行うとともに、
前記駆動部を再度制御して、前記固視標の呈示位置を移動させることによって生じたアライメントずれに対して再度前記所定の位置関係となるように前記移動ユニットを自動的に移動させる制御手段と、
を備えることを特徴とする眼科用レーザ手術装置。
【請求項５】
レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、
前記対物レンズを収容する照射端ユニットと、前記照射光学系の少なくとも一部と、を備え、前記レーザ光を前記患者眼に導光するためのデリバリーユニットと、
駆動部を備え、前記駆動部の駆動によって、前記照射端ユニットの少なくとも一部を移動させるために設けられた移動ユニットと、
前記患者眼の画像を撮像するための撮像光学系によって撮像された撮像画像に基づいて、前記眼球固定ユニットによって固定される前の前記患者眼を検出する眼検出手段と、
受光素子を有し、前記受光素子によって前記患者眼の前眼部観察像を撮影するために前記レーザ照射ユニットに設けられる観察光学系と、
前記患者眼に対する前記観察光学系のフォーカスを調整するためのフォーカス調整手段と、を備え、
前記フォーカス調整手段は、前記移動ユニットの駆動による前記観察光学系のフォーカスずれを補正可能であり、
前記眼検出手段は、前記フォーカス調整手段によって補正された前記前眼部観察像を用いて、前記照射光学系に対する前記患者眼のアライメント状態を検出し、
前記眼科用レーザ手術装置は、さらに、
前記眼検出手段によるアライメント検出結果に基づいて、前記駆動部を制御し、前記患者眼に対して前記照射端ユニットの少なくとも一部を移動させることを特徴とする眼科用レーザ手術装置。
【手続補正２】
【補正対象書類名】明細書
【補正対象項目名】０００７
【補正方法】変更
【補正の内容】
【０００７】
（１）  レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、駆動部を有し、前記患者眼を前記レーザ照射ユニットの光軸上に固定するための眼球固定ユニットを前記患者眼に向けて移動させるために設けられた移動ユニットと、前記患者眼の画像を撮像するための撮像光学系によって撮像された撮像画像に基づいて、前記眼球固定ユニットによって固定される前の前記患者眼を検出する眼検出手段と、前記眼検出手段からの検出信号に基づいて前記駆動部の駆動を制御し、前記眼球固定ユニットによって固定される前の前記患者眼に対して前記眼球固定ユニットを自動的に移動させる制御手段と、を備えることを特徴とする。
（２）  レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、前記対物レンズを収容する照射端ユニットと、前記照射光学系の少なくとも一部と、を備え、前記レーザ光を前記患者眼に導光するためのデリバリーユニットと、駆動部を備え、前記駆動部の駆動によって、前記照射端ユニットの少なくとも一部を移動させるために設けられた移動ユニットと、患者眼の画像を撮像するための撮像光学系によって撮像された撮像画像に基づいて、眼球固定ユニットによって固定される前の前記患者眼を検出する眼検出手段と、前記患者眼に呈示する固視標の呈示位置を移動させ、前記患者眼の固視方向を誘導するための固視誘導手段と、前記眼検出手段の検出結果に基づいて、前記患者眼と前記照射光学系とが所定の位置関係となるように前記駆動部を制御して自動位置合わせした後、前記固視誘導手段を制御し、前記照射光軸と前記患者眼の光軸を一致させるための固視標呈示を自動的に行うとともに、前記駆動部を再度制御して、前記固視標の呈示位置を移動させることによって生じたアライメントずれに対して再度前記所定の位置関係となるように前記移動ユニットを自動的に移動させる制御手段と、を備えることを特徴とする。
（３）  レーザ光源から出射されたレーザ光を患者眼に照射するための照射光学系であって、前記レーザを前記患者眼の組織に対して集光させるための対物レンズを備える照射光学系を備え、前記レーザ光によって前記患者眼を処置する眼科用レーザ手術装置であって、前記対物レンズを収容する照射端ユニットと、前記照射光学系の少なくとも一部と、を備え、前記レーザ光を前記患者眼に導光するためのデリバリーユニットと、駆動部を備え、前記駆動部の駆動によって、前記照射端ユニットの少なくとも一部を移動させるために設けられた移動ユニットと、前記患者眼の画像を撮像するための撮像光学系によって撮像された撮像画像に基づいて、前記眼球固定ユニットによって固定される前の前記患者眼を検出する眼検出手段と、受光素子を有し、前記受光素子によって前記患者眼の前眼部観察像を撮影するために前記レーザ照射ユニットに設けられる観察光学系と、前記患者眼に対する前記観察光学系のフォーカスを調整するためのフォーカス調整手段と、を備え、前記フォーカス調整手段は、前記移動ユニットの駆動による前記観察光学系のフォーカスずれを補正可能であり、前記眼検出手段は、前記フォーカス調整手段によって補正された前記前眼部観察像を用いて、前記照射光学系に対する前記患者眼のアライメント状態を検出し、前記眼科用レーザ手術装置は、さらに、前記眼検出手段によるアライメント検出結果に基づいて、前記駆動部を制御し、前記患者眼に対して前記照射端ユニットの少なくとも一部を移動させることを特徴とする。